(57)【要約】【課題】混雑状況応じてアラームする距離を切替え、適切なアラームを行うアラーム装置を提供することにある。【解決手段】主制御部１０１は、群衆密度解析判断部１０２から現在の群衆密度を通知されたら保存し、電波強度計測部１０３から電波強度を通知されると、前記保存した群衆密度を元に、電波強度記憶部１０５に記憶されている群衆密度に対応する電波強度を参照し、参照した電波強度よりも通知された電波強度が小さければ、アラーム表示部１０６に一定期間アラームを表示するよう指示する。【選択図】  図１
2017215730.tif 000002
【特許請求の範囲】
【請求項１】
特定のビーコン発信器から受信したビーコン信号の受信強度に応じてアラームを通知する離れアラーム装置であって、
自装置が備えるマイクから入力した音声信号または自装置が備えるカメラから入力した画像信号または自装置が備える加速度センサから入力した加速度信号に対して所定の信号処理を施して自装置近傍の群衆密度を解析する群衆密度解析手段と、群衆密度とアラームすべき受信強度に係る複数の閾値を対応付けて予め記憶する閾値記憶手段と、を有し、
前記群衆密度解析手段が解析した群衆密度に所定値以上の変動があった場合に、前記閾値記憶手段を参照し、前記変動した後の群衆密度に対応する受信強度の閾値を特定し、前記受信したビーコン信号の受信強度が前記閾値以下であったならば、前記受信したビーコン信号の発信元と自装置の距離が離れている旨のアラームを通知することを特徴とする混雑状況に応じた離れアラーム装置。
【請求項２】
特定のビーコン発信器から受信したビーコン信号の受信強度に応じてアラームを通知する離れアラーム装置であって、
前記ビーコン信号を受信するビーコン信号受信手段と、自装置が備えるマイクから入力した音声信号または自装置が備えるカメラから入力した画像信号または自装置が備える加速度センサから入力した加速度信号に対して所定の信号処理を施して自装置近傍の群衆密度を解析する群衆密度解析手段と、群衆密度とアラームすべき受信強度に係る複数の閾値を対応付けて予め記憶する閾値記憶手段と、を有し、
前記群衆密度解析手段が解析した群衆密度が所定値以上であった場合に、前記アラームの通知に係る機能を停止し、前記アラームの通知に係る機能が停止されている状態で、予め定められた特定操作が為された場合に前記アラームの通知に係る機能を起動することを特徴とする混雑状況に応じた離れアラーム装置。
【発明の詳細な説明】
【技術分野】
【０００１】
本発明は、特定の物（または人）が自装置から一定距離離れるとアラームする離れアラーム装置に関し、特に人混みなどの混雑状況に応じたアラーム方法に関する。
【背景技術】
【０００２】
外出時、子供が親からはぐれ迷子になるケースがある。この問題を解決する技術として、特許文献１には、携帯電話機が、子機が発信する電波を感知し、当該子機が一定距離以上離れるとアラーム表示する離れアラーム装置が記載されている。子機を子供に携行させ、携帯電話機を当該子供の親が携行させることで、迷子を未然に防ぐことが可能となる。
【先行技術文献】
【特許文献】
【０００３】
【特許文献１】特開２０００−２８７２６５号公報
【発明の概要】
【発明が解決しようとする課題】
【０００４】
しかしながら、特許文献１の技術は、行先によって、アラームすべき距離が変わることについて考慮していない。例えば、公園などの見通しが良い場所では、子供がある程度親から離れても迷子になりにくい。一方で、デパートや遊園地など、混雑するような場所では、迷子になりやすい。
【０００５】
本発明は上記問題を鑑みてなされたものであって、その課題は、駅、イベント会場等、周囲の混雑状況を識別し、自動的に適切なアラームを表示する離れアラーム装置を提供することにある。
【課題を解決するための手段】
【０００６】
上記課題を解決するために、本発明は、特定のビーコン発信器から受信したビーコン信号の受信強度に応じてアラームを通知する離れアラーム装置であって、自装置が備えるマイクから入力した音声信号または自装置が備えるカメラから入力した画像信号または自装置が備える加速度センサから入力した加速度信号に対して所定の信号処理を施して自装置近傍の群衆密度を解析する群衆密度解析手段と、群衆密度とアラームすべき受信強度に係る複数の閾値を対応付けて予め記憶する閾値記憶手段と、を有し、前記群衆密度解析手段が解析した群衆密度に所定値以上の変動があった場合に、前記閾値記憶手段を参照し、前記変動した後の群衆密度に対応する受信強度の閾値を特定し、前記受信したビーコン信号の受信強度が前記閾値以下であったならば、前記受信したビーコン信号の発信元と自装置の距離が離れている旨のアラームを通知することを特徴とする。
【発明の効果】
【０００７】
本発明によれば、離れアラーム装置は、群衆密度を測定し、測定した群衆密度に変動があると、当該群衆密度毎に予め対応付けられた電波強度を参照して当該電波強度を離れアラームのアラーム電波強度に設定する。そして、ビーコン発信器から受信したビーコン信号の受信強度が、設定したアラーム電波強度以下になったならば、前記ビーコン発信器と自装置の距離が離れている旨のアラームを表示する。これにより、離れアラーム装置の利用者は、混雑状況に応じてアラーム表示距離を自動的に切り替えることができ、人混みの中での迷子を防ぐことができる。
【図面の簡単な説明】
【０００８】
【図１】図１は、本発明の全体構成図及び機能ブロック図である。
【図２】図２は、携帯端末の動作フローチャート図である。
【図３】図３は、携帯端末の電波強度記憶部に記憶された電波強度管理テーブルを模式的に表した図である。
【発明を実施するための形態】
【０００９】
以下、本発明の実施形態について図面を用いながら説明する。
【００１０】
図１は、本発明の全体構成図及び機能ブロック図である。図示するように、本システムは、一定の間隔で送信されるビーコン信号ビーコン信号を発信する子機２と、子機２から受信したビーコン信号の電波強度が所定値（以下、アラーム電波強度と呼称）以下の場合にアラームを表示する携帯端末１と、から構成される。
【００１１】
携帯端末１は、主制御部１０１と、群衆密度解析判断部１０２と、電波強度計測部１０３と、ビーコン信号受信部１０４と、電波強度記憶部１０５と、アラーム表示部１０６と、マイク１０７と、加速度センサ１０９と、入力部１１０と、から構成され、例えばスマートフォンである。
【００１２】
主制御部１０１は、群衆密度解析判断部１０２と、電波強度計測部１０３と、電波強度記憶部１０５と、アラーム表示部１０６と、入力部１１０と、に接続され携帯端末１の端末に係る処理全般を制御する。また、主制御部１０１は、群衆密度解析判断部１０２から後述する群衆密度を渡されると、電波強度解析部１０３から当該群衆密度に対応する電波強度を参照し、参照した電波強度をアラーム電波強度に設定する。また、主制御部１０１は、電波強度計測部１０３から電波強度を渡されると、アラーム電波強度と渡された電波強度を比較し、渡された電波強度がアラーム電波強度以下であれば、アラーム表示部１０６にアラームの表示を指示する。
【００１３】
群衆密度解析判断部１０２は、所定のタイミング毎に（以下、群衆密度取得タイミングと呼称）マイク１０７からの音声信号を抽出し、抽出した音声信号に含まれる会話音や雑踏音などが多い周波数帯を取得し、音声情報の総和の大小によって自装置近傍に存在する人の密集度（以下、群衆密度と呼称。）を解析する。
【００１４】
または、群衆密度解析判断部１０２は、加速度センサ１０９からの加速度信号を抽出し、抽出した加速度センサのユーザ移動時の歩行ステップ間隔を取得し、歩行ステップ間隔の幅に応じて群衆密度を解析する。その後、音声情報、加速度情報の二つの情報で解析した群衆密度を総合的に判断して、最終的な群衆密度を解析する。そして、群衆密度解析判断部１０２は、解析した群衆密度を主制御部１０１に通知する。
【００１５】
尚、本実施例では、２つの信号情報(音声信号、加速度信号)のいずれかを元に判断して群衆密度の解析を行っているが、本願はこれに限定しない。例えば、音声信号と加速度信号から群衆密度を総合的に判断し解析するようにしてもよい。
【００１６】
電波強度計測部１０３は、ビーコン信号受信部１０４を監視し、ビーコン信号受信部１０４がビーコン信号を受信すると当該ビーコン信号の電波強度を計測する。また、電波強度計測部１０３は、ビーコン信号受信部１０４からビーコン信号を渡されると、渡されたビーコン信号の送信元が子機２からのビーコン信号か否かを判定し、子機２からのビーコン信号であった場合に、前記計測した電波強度を主制御部１０１に通知する。
【００１７】
ビーコン信号受信部１０４は、子機２から送信されたビーコン信号を電波強度計測部１０３に渡す。
【００１８】
電波強度記憶部１０５は、電波強度管理テーブル１０５０を記憶する記憶部である。
【００１９】
次に図３の電波強度管理テーブル１０５０を用いて、主制御部１０１が、アラーム電波強度を設定する処理について説明する。
【００２０】
図３は、携帯端末１の電波強度記憶部１０５に記憶された電波強度管理テーブル１０５０を模式的に表した図である。
【００２１】
図示するように、電波強度管理テーブル１０５０は、群衆密度フィールド１０５１と、電波強度フィールド１０５２から構成される。群衆密度フィールド１０５１には、群衆密度が記憶されている。電波強度フィールドには電波強度が記憶されている。また、１０５３〜１０５５は、群衆密度フィールド１０５１に対応付けて記憶されたレコードである。
【００２２】
主制御部１０１は、電波強度計測部１０３から解析した群衆密度を渡されると、電波強度管理テーブル１０５０の群衆密度フィールド１０５１を参照して、解析した群衆密度に対応する電波強度フィールド１０５２を参照する。そして、参照した電波強度フィールド１０５２の数値をアラーム電波強度に設定する。図１の説明に戻る。
【００２３】
アラーム表示部１０６は、主制御部１０１からアラームの表示を指示されると、一定期間アラームを表示する。
【００２４】
マイク１０７は、周囲の音声を収集する集音器であり、集音した音声信号を群衆密度解析判断部１０２に送信する。
【００２５】
加速度センサ１０９は、ＸＹＺ軸の３方向の加速度をセンシングする３軸加速度センサであり、センシングした加速度信号（ＸＹＺ軸の３方向の加速度の値）を群衆密度解析判断部１０２に送信する。
【００２６】
入力部１１０は、ユーザによる電波強度管理テーブル１０５０を更新する操作（以下、電波強度管理テーブル更新操作と呼称）を受け付け、主制御部１０１と連携して電波強度管理テーブル１０５０の情報を更新する。
【００２７】
子機２は、主制御部２０１と、ビーコン信号送信部２０２から構成され、例えばｉＢｅａｃｏｎ（登録商標）を送出する発信器である。
【００２８】
主制御部２０１は、ビーコン信号送信部２０２に接続され、一定間隔でビーコン信号送信部２０２にビーコン信号の送信を指示する。
【００２９】
ビーコン信号送信部２０２は、主制御部２０１からビーコン信号の送信を指示されると、当該ビーコン信号を送信する。
【００３０】
図２は、携帯端末１の動作フローチャート図である。本フローは、携帯端末１の電源が投入され、ビーコン受信可能な状態から開始される。
【００３１】
まず、携帯端末１は、群衆密度取得タイミングか（Ｓ２０１）、ビーコン信号を受信したか（Ｓ２０２）、電波強度管理テーブル更新操作を受け付けたか（Ｓ２０３）、の何れかになるのを待つ。
【００３２】
群衆密度取得タイミングであった場合（Ｓ２０１、Ｙｅｓ）、携帯端末１は、群衆密度を解析し（Ｓ２０５）、電波強度管理テーブル１０５０から解析した群衆密度に対応する電波強度を参照し（Ｓ２０６）、参照した電波強度をアラーム電波強度に設定し（Ｓ２０７）、ステップ２０１へ戻る。
【００３３】
ビーコン信号を受信した場合（Ｓ２０２、Ｙｅｓ）、子機からのビーコン信号かどうか判定する（Ｓ２１７）。受信したビーコン信号が子機からのビーコン信号の場合（Ｓ２１７、Ｙｅｓ）、携携帯端末１は、ビーコン信号の電波強度を計測し（Ｓ２１１）、ステップ２１１で計測した電波強度が、ステップ２０６で設定したアラーム電波強度未満かを判定する（Ｓ２１２）。
【００３４】
受信したビーコン信号が子機からのビーコン信号ではない場合（Ｓ２１７、Ｎｏ）、ステップ２０１に戻る。
【００３５】
ステップ２１１で計測した電波強度が、ステップ２０６で設定したアラーム電波強度未満の場合（Ｓ２１２、Ｙｅｓ）、携帯端末１は、一定期間アラームを表示し（Ｓ２１３）、ステップ２０１に戻る。
【００３６】
ステップ２１１で計測した電波強度が、ステップ２０７で設定したアラーム電波強度未満でない場合（Ｓ２１２、Ｎｏ）、ステップ２０１に戻る。
【００３７】
電波強度管理テーブル更新操作を受け付けた場合（Ｓ２０３、Ｙｅｓ）、携帯端末１は、電波強度管理テーブルを更新し（Ｓ２１４）、ステップ２０１に戻る。
【００３８】
以上、本発明の実施形態について説明した。
【００３９】
本発明によれば、主制御部１０１は、群衆密度解析判断部１０２から現在の群衆密度を渡されたら電波強度計測部１０３から当該群衆密度に対応する電波強度を参照し、参照した電波強度をアラーム電波強度に設定する。そして主制御部１０１は、アラーム電波強度と渡された電波強度を比較し、渡された電波強度が小さければ、アラーム表示部１０６にアラームを表示するように指示する。
【００４０】
これにより、人の混雑状況に応じてアラーム表示距離を自動的に切り替えることができ、迷子を防ぐことができる。
【００４１】
また本発明を実施する形態によれば、変更操作受付時にユーザの入力を待ち、入力完了すると、設定値のテーブルを書き換えることができる。
【００４２】
これにより、ユーザは状況に応じてアラームの設定を変更することができる
【符号の説明】
【００４３】
１・・・携帯端末
１０１・・・主制御部
１０２・・・群衆密度解析判断部
１０３・・・電波強度計測部
１０４・・・ビーコン信号受信部
１０５・・・電波強度記憶部
１０６・・・アラーム表示部
１０７・・・マイク
１０８・・・カメラ
１０９・・・加速度センサ
１１０・・・入力部
２・・・子機
２０１・・・主制御部
２０２・・・ビーコン信号送信部
【図１】
2017215730.tif 000003
【図２】
2017215730.tif 000004
【図３】
2017215730.tif 000005